(57)【要約】【課題】シール部材の加工に手間をかけずに施工を行うことができる屋根間の防水構造を提供する。【解決手段】屋根２１，３１間の防水構造は、スペーサ４、シール部材５を備えている。スペーサ４は第１野地板２２に固定されており、この状態で第２屋根材３４の上端と同一の高さになるように形成されている。シール部材５は、スペーサ４の水平部４２ｂと、第２屋根材３４の水平部３５ｂとを繋いで双方の水平部４２ｂ、３５ｂ間を塞いでいる。【選択図】図３
2014118764.tif 000002
【特許請求の範囲】
【請求項１】
連接された勾配が異なる二枚の屋根間を防水する屋根間の防水構造において、
双方の屋根の各々は、野地板と、この野地板の上側に配置された屋根材とを有し、
高さが低い方の屋根の野地板に、高さが高い方の屋根の屋根材の上端と同一の高さになるスペーサを設け、当該スペーサの上部と前記高さが高い方の屋根の屋根材の上部とに双方の上部間を塞ぐシール部材を繋いだことを特徴とする屋根間の防水構造。
【請求項２】
請求項１に記載の屋根間の防水構造において、
前記スペーサを前記高さが低い方の屋根の屋根材の上部を覆うように形成したことを特徴とする屋根間の防水構造。
【請求項３】
請求項１または請求項２に記載の屋根間の防水構造において、
前記シール部材の上面に、前記シール部材を覆うカバー材を設けたことを特徴とする屋根間の防水構造。
【請求項４】
請求項３に記載の屋根間の防水構造において、
前記カバー材で双方の屋根側部分の少なくとも一方を、前記スペーサの上部、あるいは前記スペーサおよび対応する屋根材の上部に引っ掛けるように形成したことを特徴とする屋根間の防水構造。
【請求項５】
請求項３または請求項４に記載の屋根間の防水構造において、
前記カバー材で双方の屋根側部分の少なくとも一方を、締結材を用いて、対応する屋根材の上部に前記シール部材を介して固定したことを特徴とする屋根間の防水構造。
【請求項６】
請求項１〜請求項５のいずれか１項に記載の屋根間の防水構造において、
前記双方の屋根の水下側に軒樋が配置される場合は、双方の屋根材を平板状に形成して、当該双方の屋根材の水下側の端部を対応する軒樋の上方に位置するように形成し、当該双方の水下側の端部に、対応する軒樋へ雨水を送る排水部を設けたことを特徴とする屋根間の防水構造。
【発明の詳細な説明】
【技術分野】
【０００１】
本発明は、勾配の異なる二枚の屋根が連接された場合において、双方の屋根の端部間を防水するために使用される屋根間の防水構造に関する。
【背景技術】
【０００２】
従来、勾配の異なる二枚の屋根が連接された場合において、双方の屋根間を防水するために防水構造が使用されている。この防水構造としては、例えば特許文献１に開示されている防水構造がある。
【０００３】
特許文献１に開示されている防水構造は、勾配の異なる二枚の屋根の隣接する端部にシール部材が被せられて施工されている。このシール部材によって端部間（屋根間）を塞いでいる。
【先行技術文献】
【特許文献】
【０００４】
【特許文献１】特開昭６２−１６９１１９号公報
【発明の概要】
【発明が解決しようとする課題】
【０００５】
しかしながら、上記の防水構造では、施工前にシール部材の折り曲げ加工を行う。この折り曲げ加工では平板状の部材の左右端部を折り曲げるが、このときに、高さが異なる双方の屋根の端部に被せることができるように左右端部を段違いに折り曲げなければならない。そのため、高い折り曲げ精度が必要となり、シール部材の加工に手間がかかっていた。
【０００６】
本発明は、このような従来の課題に鑑みてなされたものであり、シール部材の加工に手間をかけずに施工を行うことができる屋根間の防水構造を提供することを目的とする。
【課題を解決するための手段】
【０００７】
本発明者等は、鋭意研究の結果、前記課題を解決するために以下のような屋根間の防水構造を採用した。
【０００８】
本発明は、連接された勾配が異なる二枚の屋根間を防水する屋根間の防水構造において、双方の屋根の各々は、野地板と、この野地板の上側に配置された屋根材とを有し、高さが低い方の屋根の野地板に、高さが高い方の屋根の屋根材の上端と同一の高さになるスペーサを設け、当該スペーサの上部と前記高さが高い方の屋根の屋根材の上部とに双方の上部間を塞ぐシール部材を繋いだことを特徴とする。
【０００９】
また、本発明では、スペーサを、高さが低い方の屋根の屋根材の上部を覆うように形成することが好ましい。
【００１０】
また、本発明では、シール部材の上面に、シール部材を覆うカバー材を設けることが好ましい。
【００１１】
また、本発明では、カバー材で双方の屋根側部分の少なくとも一方を、スペーサの上部、あるいはスペーサおよび対応する屋根材の上部に引っ掛けるように形成しても良い。
【００１２】
また、本発明では、カバー材で双方の屋根側部分の少なくとも一方を、締結材を用いて、対応する屋根材の上部に前記シール部材を介して固定しても良い。
【００１３】
また、本発明では、双方の屋根の水下側に軒樋が配置される場合は、双方の屋根材を平板状に形成して、双方の屋根材の水下側の端部を対応する軒樋の上方に位置するように形成し、双方の水下側の端部に、対応する軒樋へ雨水を送る排水部を設けることが好ましい。
【発明の効果】
【００１４】
本発明の屋根間の防水構造では、高さが低い方の屋根の野地板に、高さが高い方の屋根の屋根材の上端と同一の高さになるスペーサを設け、当該スペーサの上部と高さが高い方の屋根の屋根材の上部とに上部間を塞ぐシール部材を繋いだ。したがって、シール部材に対して従来のように双方の屋根の隣接する端部の高さを意識した折り曲げ加工を行う必要がないので、折り曲げ加工に高い精度を必要としない。よって、本発明の屋根間の防水構造は、シール部材の加工に手間をかけずに施工を行うことができる。
【図面の簡単な説明】
【００１５】
【図１】本発明の第１の実施の形態のユニット建物の分解斜視図である。
【図２】図１の２階建物ユニットの左側上部の斜視図である。
【図３】同実施の形態の屋根間の防水構造を示す断面図である。
【図４】同実施の形態の第１屋根材の斜視図である。
【図５】同実施の形態の屋根間の防水構造の施工方法を示すフローチャートである。
【図６】同実施の形態の屋根間の防水構造の施工方法を示す説明図である。
【図７】図６に続く説明図である。
【図８】本発明の第２の実施の形態の屋根間の防水構造の斜視図である。
【図９】図８の分解斜視図である。
【発明を実施するための形態】
【００１６】
以下、本発明の実施の形態を図にしたがって説明する。
【００１７】
（第１の実施の形態）
図１は、本発明の第１の実施の形態のユニット建物１の分解斜視図である。このユニット建物１は、１階建物ユニット１ａと２階建物ユニット１ｂとが上下に組み付けられて構成されている。
【００１８】
２階建物ユニット１ｂは、四つの小建物ユニット２０２〜２０５が前後左右に連設して構成されている。各小建物ユニット２０２〜２０５の上面には、それぞれ屋根（第１屋根２１、第２屋根３１、第３屋根２４１、第４屋根２５１）が組み付けられる。各屋根は勾配が異なる。
【００１９】
図２は、図１の２階建物ユニット１ｂの左側上部の斜視図である。本発明の屋根間の防水構造は、第１屋根２１と第２屋根３１の隣接する端部２１ａ，３１ａ間（Ｓ部）を防水するために使用される。このＳ部では、右側が水上側に設定され、左側が水下側に設定されている。また、第３屋根２４１と第４屋根２５１の隣接する端部間にも同様の屋根間の防水構造が使用される。本実施の形態では、第１屋根２１と第２屋根３１間の防水構造について説明する。
【００２０】
図３は、第１屋根２１と第２屋根３１間の防水構造を示す断面図である。第１屋根２１は、下から上へ配置された第１野地板２２、第１ルーフィング２３、第１屋根材２４を備えている。第２屋根３１は、下から上へ配置された第２野地板３２、第２ルーフィング３３、第２屋根材３４を備えている。また、図示しないが、双方の野地板２２，３２はそれぞれ垂木で支持されている。各垂木はそれぞれ垂木受けで支持されており、垂木受けは梁に結合されている。
【００２１】
第１野地板２２は、第２野地板３２よりも低い位置に配置されている。第１ルーフィング２３は、第２野地板３２の第１野地板２２との隣接側の端部の上面から野地板２２，３２間を塞いで第１野地板２２の上面に配置されている。
【００２２】
第２ルーフィング３３は、第１ルーフィング２３に重ねて配置されている。具体的には第２ルーフィング３３は、第１野地板２２の第２野地板３２との隣接側の端部の上面側から野地板２２，３２間を塞いで第２野地板３２の上面側に配置されている。
【００２３】
第１屋根材２４は平板状に形成されており、第２屋根材３４よりも低い位置に配置されている。図４を用いて第１屋根材２４の構成を説明する。この第１屋根材２４は、二枚の面材２４１，２４２と、面材２４１，２４２を結合するアンカークリップ２４３と、面材２４１，２４２間の目地部を止水する目地カバー部材２４４とを備えている。
【００２４】
二枚の面材２４１，２４２は平板状に形成されている。左側の面材２４１の左右端には略直角に折り曲げられた端部２４１１，２４１１が形成されている。右側の面材２４２は第２屋根材３４（図２参照）と隣接する側の面材である。この右側の面材２４２の左右端には、左側の面材２４１と同様に略直角に折り曲げられた端部２４１１，２５が形成されている。
【００２５】
アンカークリップ２４３は、上方が開口された断面略コ字形に形成されている。アンカークリップ２４３の左右端部２４３１，２４３１は外側に折り曲げられている。このアンカークリップ２４３は、面材２４１，２４２の対向する端部２４１１，２４１１間に挿入される。このときに左右端部２４３１，２４３１が端部２４１１，２４１１に係合して面材２４１，２４２が結合される。
【００２６】
また、アンカークリップ２４３の底部にはビス孔２４３２が形成されている。このビス孔２４３２にはビス（図示せず）が挿入される。ビス孔２４３２に挿入されたビスは野地板２２を貫通し、垂木（図示せず）にねじ込まれる。これによって、アンカークリップ２４３は野地板２２に圧着され、面材２４１，２４２が野地板２２に固定される。
【００２７】
目地カバー部材２４４は、下方が開放された長手方向略円筒形に形成されている。この目地カバー部材２４４の左右下端部２４４１，２４４１は外側に折り曲げられている。左右下端部２４４１，２４４１は、面材２４１，２４２の対向する端部２４１１，２４１１に係合される。これにより目地カバー部材２４４は、対向する端部２４１１，２４１１に嵌着される。
【００２８】
目地カバー部材２４４の内部には防水材２４５が取り付けられている。この防水材２４５は目地カバー部材２４４で押圧されて、対向する端部２４１１，２４１１に強固に密着・接着される。これにより、対向する端部２４１１，２４１１間とアンカークリップ２４３とが水密になり、面材２４１，２４２間の目地部が止水される。
【００２９】
次に、図３を用いて、第１屋根材２４（図４の右側の面材２４２）の第２屋根材３４と隣接する側の端部２５について説明する。この端部２５は上方且つ内側へＬ字状に折り曲げられており、垂直部２５ａと、水平部２５ｂとを備えている。
【００３０】
垂直部２５ａは、第１屋根材２４の基部２４ａにおいて、第２屋根材３４との隣接側の端から上方へ垂直に折り曲げられて形成されている。なお、基部２４ａは、ルーフィング２３，３３を介して第１野地板２２の上面に配置される部分である。水平部２５ｂは、垂直部２５ａの上端から内側へ水平に折り曲げられて形成されている。
【００３１】
第２屋根材３４は平板状に形成されている。第２屋根材３４の構成は第１屋根材２４と同様の構成なので説明を省略する。第２屋根材３４の第１屋根材２４と隣接する側の端部３５は上方且つ内側へＬ字状に折り曲げられており、垂直部３５ａと、水平部３５ｂとを備えている。
【００３２】
垂直部３５ａは、第２屋根材３４の基部３４ａにおいて、第１屋根材２４との隣接側の端から上方に垂直に折り曲げられて形成されている。また垂直部３５ａは、第１屋根材２４の垂直部２５ａよりも高い位置に配置されている。なお、基部３４ａは、ルーフィング２３，３３を介して第２野地板３２の上面に配置される部分である。水平部３５ｂは、垂直部３５ａの上端から内側へ水平に折り曲げられて形成されている。
【００３３】
次に、屋根２１，３１間の防水構造を説明する。この防水構造は、スペーサ４、シール部材５（止水材）、カバー材６を備えている。
【００３４】
スペーサ４は、双方の屋根２１，３１間に配置されて第１野地板２２に固定されており、この状態でスペーサ４の上端が第２屋根材３４の上端と同一の高さになるように形成されている。言い換えるとスペーサ４は、第２屋根材３４と勾配且つ高さが同じなるように形成されている。
【００３５】
また、スペーサ４は、平板状で第１屋根材２４の上部を覆うように形成されている。スペーサ４の構造を具体的に説明する。スペーサ４は、水平に延びる基部４１と、基部４１の左端から上方且つ内側へＬ字状に折り曲げられたＬ字部４２とを備えている。
【００３６】
基部４１は、第１屋根材２４の下側に配置され、双方のルーフィング２３、３３を介して第１野地板２２にビス９で固定されている。基部４１の左側部４１ａ（外側部）は双方の屋根２１，３１間に位置している。
【００３７】
Ｌ字部４２は、基部４１の左側部４１ａから上方に延びる垂直部４２ａと、垂直部４２ａの上端から第１屋根２１の内側へ延びる水平部４２ｂとを備えている。
【００３８】
垂直部４２ａは、第２屋根材３４と同一の高さになるように形成されている。水平部４２ｂは、第１屋根材２４の水平部２５ｂを覆うように接触して形成されている。
【００３９】
シール部材５は平板状に形成されている。このシール部材５は、スペーサ４の水平部４２ｂと、第２屋根材３４の水平部３５ｂとに接着して双方の水平部４２ｂ、３５ｂを繋いで双方の水平部４２ｂ、３５ｂ間を塞いでいる。
【００４０】
カバー材６は、シール部材５の上面にシール部材５を覆うように設けられている。このカバー材６は平板状に形成されており、シール部材５の上面に配置された基部６１と、基部６１の左右端（双方の屋根側端）から下方に折り曲げられた左折曲部６２および右折曲部６３とを備えている。
【００４１】
基部６１の左側部分（第２屋根３１側部分）は、ブラインドリベット７を用いて、第２屋根材３４の水平部３５ｂにシール部材５を介して固定されている。水平部３５ｂの内面にはブラインドリベット７との間にコーキング材８が入れられている。
【００４２】
右折曲部６３（第１屋根２１側部分）は、スペーサ４および第１屋根材２４の水平部４２ｂ、水平部２５ｂに引っ掛けるようにＬ字状に形成されている。
【００４３】
次に、図５〜図７を用いて防水構造の施工方法を説明する。
【００４４】
（ステップＳ１、図６の（ａ））
最初に、双方の野地板２２，３２の上面にルーフィング２３，３３を配置する。配置方法を説明すると、まず、第１野地板２２の上面に第１ルーフィング２３を配置し、第２野地板３２の上面に第２ルーフィング３３を配置する。
【００４５】
このときに、第１ルーフィング２３の第２ルーフィング３３と隣接する端部２３ａを第２野地板３２の方へ出す。また、第２ルーフィング３３の第１ルーフィング２３と隣接する端部３３ａを第１野地板２２の方へ出す。
【００４６】
続いて、第１ルーフィング２３の端部２３ａを第２ルーフィング３３の下へもぐりこませ、第２ルーフィング３３の端部３３ａを第１ルーフィング２３の上に重ねる。最後に第２ルーフィング３３の端部３３ａと第１ルーフィング２３との継ぎ目をテープ（図示せず）で塞いで双方のルーフィング２３，３３を固定する。
【００４７】
（ステップＳ２、図６の（ｂ））
次に、第２屋根材３４の組み付けを行う。まず、第２屋根材３４の基部３４ａをルーフィング２３，３３を介して第２野地板３２の上面に配置する。この状態で、基部３４ａを固定部材（図示せず）で第２野地板３２に固定する。
【００４８】
（ステップＳ３、図６の（ｃ））
次に、スペーサ４の組み付けを行う。まず、スペーサ４の垂直部４２ａを双方の野地板２２，３２間に配置して第２屋根材３４の垂直部３５ａと対向させる。この状態で基部４１をルーフィング２３，３３を介して第１野地板２２の上面にビス９で固定する。これによりスペーサ４の上端と第２屋根材３４の上端が同一の高さになる。
【００４９】
（ステップＳ４、図７の（ｄ））
次に、第１屋根材２４の組み付けを行う。まず、第１屋根材２４をスペーサ４の内側に配置する。この状態で、基部２４ａを固定部材（図示せず）で第１野地板２２に固定する。これにより、第１屋根材２４の水平部２５ｂはスペーサ４で覆われる。
【００５０】
（ステップＳ５、図７の（ｅ））
次に、シール部材５の組み付けを行う。組み付け方法は、シール部材５を、スペーサ４の水平部４２ｂと第２屋根材３４の水平部３５ｂとに接着して双方の水平部４２ｂ、３５ｂを繋ぐ。これにより、双方の水平部４２ｂ、３５ｂ間はシール部材５で塞がれる。
【００５１】
（ステップＳ６、図７の（ｅ）〜（ｆ））
最後に、カバー材６の組み付けを行う。まず、カバー材６の右折曲部６３を、スペーサ４および第１屋根材２４の水平部４２ｂ、２５ｂに引っ掛けて、カバー材６全体でシール部材５に被せる。次に、基部６１の左側部分を第２屋根材３４の水平部３５ｂにシール部材５を介してブラインドリベット７で固定する。最後に、水平部３５ｂの内面でブラインドリベット７との間にコーキング材８を入れる。この結果、カバー材６は、シール部材５を覆った状態になる。
【００５２】
以上説明したように本実施の形態の屋根２１，３１間の防水構造では、第１野地板２２に、第２屋根材３４の上端と同一の高さになるスペーサ４を設け、スペーサ４の上部（水平部４２ｂ）と第２屋根材３４の上部（３５ｂ）とに上部間を塞ぐシール部材５を繋いだ。
【００５３】
したがって、シール部材５に対して従来のように双方の屋根２１，３１の隣接する端部２１ａ，３１ａの高さを意識した折り曲げ加工を行う必要がないので、折り曲げ加工に高い精度を必要としない。よって、本実施の形態の屋根２１，３１間の防水構造は、シール部材５の加工に手間をかけずに施工を行うことができる。
【００５４】
また、スペーサ４を第１屋根材２４の上部を覆うように形成したので、スペーサ４と第１屋根材２４の間に雨水が浸入するのを防ぐことができる。よって、本実施の形態の屋根２１，３１間の防水構造は、防水機能を高めることができる。
【００５５】
また、シール部材５の上面にカバー材６を設けたので、屋根２１，３１間に雨水が浸入するのを確実に防ぐことができる。よって、本実施の形態の屋根２１，３１間の防水構造は、防水機能をより高めることができる。
【００５６】
また、カバー材６の第１屋根２１側部分（右折曲部６３）をスペーサ４および第１屋根材２４の上部（水平部４２ｂ，２５ｂ）に引っ掛けるように形成したので、カバー材６の取付作業を容易に行うことができる。
【００５７】
さらに、カバー材６の第２屋根３１側部分（基部６１の左側部分）を、ブラインドリベット７を用いて、第２屋根材３４の上部（水平部１３５ｂ）にシール部材５を介して固定した。これによりカバー材６をシール部材５に密着させることが可能になり、屋根２１，３１間に雨水が浸入するのをより確実に防ぐことができる。よって、本実施の形態の屋根２１，３１間の防水構造は、防水機能をより高めることができる。
【００５８】
（第２の実施の形態）
図８は本発明の第２の実施の形態の屋根１２１，１３１間の防水構造の斜視図である。図９は図８の分解斜視図である。
【００５９】
まず、屋根１２１，１３１の構成を説明する。右側の屋根１２１を第１屋根１２１と称し、左側の屋根１３１を第２屋根１３１と称する。
【００６０】
第１屋根１２１は、下から上へ配置された第１野地板１２２、第１ルーフィング（図示せず）、第１屋根材１２４を備えている。第２屋根１３１は、下から上へ順に配置された第２野地板１３２、第２ルーフィング（図示せず）、第２屋根材１３４を備えている。
【００６１】
第１野地板１２２は、第２野地板１３２よりも低い位置に配置されている。双方の野地板１２２，１３２の水下側にはそれぞれ軒樋１１，１２が配置されている。双方の野地板１２２，１３２はそれぞれ垂木（図示せず）で支持されている。各垂木はそれぞれ垂木受け１６０，１７０で支持されており、垂木受け１６０，１７０は梁１６１，１７１に結合されている。第１ルーフィングと第２ルーフィングは、第１の実施の形態のルーフィング２３，３３と同様に配置されているので詳しい説明は省略する（図３参考）。
【００６２】
第１屋根材１２４は平板状の部材から形成されており、第２屋根材１３４よりも低い位置に配置されている。この第１屋根材１２４の水下側の端部１２６は軒樋１１の上方に位置するように形成されている。
【００６３】
第１屋根材１２４の第２屋根材１３４と隣接する端部１２５は、基部１２４ａから上方且つ内側へＬ字状に折り曲げられている。これにより、端部１２５は、基部１２４ａから上方へ垂直に折り曲げられた垂直部１２５ａと、垂直部１２５ａの上端から内側へ水平に折り曲げられた水平部１２５ｂとを備えている。なお、基部１２４ａは、双方のルーフィングを介して第１野地板１２２の上面に配置される部分である。
【００６４】
また、水下側の端部１２６の先端部１２７は、基部１２４ａから上方且つ外側へＬ字状に折り曲げられている。これにより先端部１２７は、基部１２４ａから上方へ垂直に折り曲げられた垂直部１２７ａと、垂直部１２７ａの上端から外側へ水平に折り曲げられた水平部１２７ｂとを備えている。水平部１２７ｂの下端にはフランジ部１２７ｃが形成されている。
【００６５】
また、水下側の端部１２６の第２屋根材１３４と隣接する側と反対側の端には切り欠き１２８（排水部）が設けられている。この切り欠き１２８は、水下側から長さ方向にＬ字状に切り欠かれて形成されている。切り欠き１２８の下端にはフランジ１２８ａが形成されている。また、この反対側の端には切り欠き１２８よりも水上側にフランジ１２８ｂが起立して形成されている。
【００６６】
第２屋根材１３４は平板状の部材から形成されている。この第２屋根材１３４の水下側の端部１３６は軒樋１２の上方に位置するように形成されている。
【００６７】
水下側の端部１３６の先端部１３７は、基部１３４ａから上方且つ外側へＬ字状に折り曲げられている。これにより先端部１３７は、基部１３４ａから上方へ垂直に折り曲げられた垂直部１３７ａと、垂直部１３７ａの上端から外側へ水平に折り曲げられた水平部１３７ｂとを備えている。水平部１３７ｂの下端にはフランジ部１３７ｃが形成されている。基部１３４ａは、双方のルーフィングを介して第２野地板１３２の上面に配置される部分である。
【００６８】
水下側の端部１３６の第１屋根材１２４と隣接する端部１３８は、基部１３４ａから反対側にＬ字状に折り曲げられた第１折曲部１３９と、基部１３４ａから水上側にＬ字状に折り曲げられた第２折曲部１４０とを備えている。これにより水下側の端部１３６の第１屋根材１２４と隣接する側の端はＬ字状に形成されている。
【００６９】
第１折曲部１３９は、基部１３４ａから幅方向に上方へ垂直に折り曲げられた垂直部１３９ａと、垂直部１３９ａの上端から外側方（第１屋根材１２４の方）へ水平に折り曲げられた水平部１３９ｂとを備えている。水平部１３９ｂの下端にはフランジ部１３９ｃが形成されている。
【００７０】
第２折曲部１４０は、基部１３４ａから長さ方向に上方へ垂直に折り曲げられた垂直部１４０ａと、垂直部１４０ａの上端から水下側へ水平に折り曲げられた水平部１４０ｂとを備えている。水平部１４０ｂの下端にはフランジ部１４０ｃが形成されている。
【００７１】
双方の垂直部１３９ａ，１４０ａは、先端部１３７の垂直部１３７ａと連続して形成されている。双方の水平部１３９ｂ，１４０ｂは、先端部１３７の水平部１３７ｂと連続して形成されている。双方のフランジ部１３９ｃ、１４０ｃは、先端部１３７のフランジ部１３７ｃと連続して形成されている。
【００７２】
水下側の端部１３６の第１屋根材１２４と隣接する側と反対側の端には切り欠き１３０（排水部）が設けられている。この切り欠き１３０は、基部１３４ａの水下側の端から長さ方向に端部１３６の半分までＬ字状に切り欠かれて形成されている。
【００７３】
また、第２屋根材１３４において第２折曲部１４０よりも水上側にある端部１３５は、基部１３４ａから上方且つ内側へＬ字状に折り曲げられている。これにより、この端部１３５は、基部１３４ａから上方へ垂直に折り曲げられた垂直部１３５ａと、垂直部１３５ａの上端から内側へ水平に折り曲げられた水平部１３５ｂとを備えている。
【００７４】
ここで、双方の屋根材１２４，１３４の隣接する端部１２５，１３５は、第１屋根材１２４の端部１３５の方が低い位置に配置されている。
【００７５】
次に、屋根１２１，１３１間の防水構造を説明する。この防水構造は、第１の実施の形態と同様に、スペーサ１０４、シール部材１０５、カバー材１０６を備えている。
【００７６】
スペーサ１０４は、双方の屋根１２１，１３１の間に配置されて第１野地板１２２に固定されており、この状態でスペーサ１０４の上端が第２屋根材１３４の水平部１３５ｂの上端と同一の高さになるように形成されている。言い換えるとスペーサ１０４は、第２屋根材１３４と勾配且つ高さが同じなるように形成されている。
【００７７】
また、スペーサ１０４は、平板状で第１屋根材１２４の上部を覆うように形成されている。スペーサ１０４の構造は、第１の実施の形態のスペーサ４と同様に、水平に延びる基部１４１と、基部１４１の左端から上方且つ内側へＬ字状に折り曲げられたＬ字部１４２とを備えている。
【００７８】
基部１４１は、第１屋根材１２４の下側に配置され、双方のルーフィング（図示せず）を介して第１野地板１２２にビス（図示せず）で固定されている。基部１４１の左側部４１ａ（外側部）が双方の屋根２１，３１間に位置している。
【００７９】
Ｌ字部１４２は、基部１４１の左側部１４１ａから上方に延びる垂直部１４２ａと、垂直部１４２ａの上端から第１屋根１２１の内側へ延びる水平部１４２ｂとを備えている。
【００８０】
垂直部１４２ａは、第２屋根材１３４と同一の高さになるように形成されている。水平部１４２ｂは、第１屋根材１２４の水平部１２５ｂを覆うように接触して形成されている。
【００８１】
シール部材１０５は平板状に形成されている。このシール部材１０５は、スペーサ１０４の水平部１４２ｂと、第２屋根材１３４の水平部１３５ｂとに接着して双方の水平部１４２ｂ，１３５ｂを繋いで双方の水平部１４２ｂ、１３５ｂ間を塞いでいる。
【００８２】
カバー材１０６は、シール部材１０５の上面にシール部材１０５を覆うように設けられている。このカバー材１０６は平板状に形成されており、シール部材１０５の上面に配置された基部１６１と、基部１６１の左右端（双方の屋根側端）から下方に折り曲げられた左折曲部１６２および右折曲部１６３とを備えている。
【００８３】
基部６１の左側部分（第２屋根１３１側部分）は、ブラインドリベット（図示せず）を用いて、第２屋根材１３４の水平部１３５ｂにシール部材１０５を介して固定されている。水平部１３５ｂの内面にはブラインドリベットとの間にコーキング材（図示せず）が入れられている。
【００８４】
右折曲部１６３（第１屋根１２１側部分）は、スペーサ１０４および第１屋根材１２４の水平部１４２ｂ，１２５ｂに引っ掛けるようにＬ字状に形成されている。
【００８５】
次に、防水構造の施工方法を説明する。この施工方法の流れは、第１の実施の形態で説明した施工方法の流れと同じである。第１の実施の形態で使用した図５のフローチャートを用いて施工方法の内容を説明する。
【００８６】
（ステップＳ１）
最初に、双方の野地板１２２，１３２の上面に双方のルーフィングを配置する。この配置方法は第１の実施の形態で説明した方法と同じなので説明を省略する。
【００８７】
（ステップＳ２）
次に、第２屋根材１３４の組み付けを行う。まず、第２屋根材１３４の基部１３４ａを双方のルーフィングを介して第２野地板１３２の上面に配置する。このときに、水下側の端部１３６を軒樋１２の上方に位置させる。この状態で、基部１３４ａを固定部材（図示せず）により第２野地板１３２に固定する。
【００８８】
（ステップＳ３）
次に、スペーサ１０４の組み付けを行う。まず、スペーサ１０４の垂直部１４２ａを双方の野地板１２２，１３２間に配置して第２屋根材１３４の垂直部１３５ａと対向させる。この状態で基部１４１を双方のルーフィングを介して第１野地板１２２の上面にビス９で固定する。これによりスペーサ１０４の上端と第２屋根材３４の上端が同一の高さになる。
【００８９】
（ステップＳ４）
次に、第１屋根材１２４の組み付けを行う。まず、第１屋根材１２４をスペーサ１０４の内側に配置する。このときに、水下側の先端部１２７を第２屋根材１３４の水下側の端部１３６の第２折曲部１４０の先端と合わせ、水下側の端部１２６を軒樋１１の上方に位置させる。この状態で、基部１２４ａを固定部材（図示せず）で第１野地板１２２に固定する。これにより、第１屋根材１２４の水平部２５ｂはスペーサ１０４で覆われる。
【００９０】
（ステップＳ５）
次に、シール部材１０５の組み付けを行う。組み付け方法は、シール部材１０５を、スペーサ１０４の水平部１４２ｂと第２屋根材１３４の水平部１３５ｂとに接着して双方の水平部１４２ｂ，１３５ｂを繋ぐ。これにより、双方の水平部１４２ｂ、１３５ｂ間はシール部材で塞がれる。
【００９１】
（ステップＳ６）
最後に、カバー材１０６の組み付けを行う。まず、カバー材１０６の右折曲部１６３を、スペーサ１０４の水平部１４２ｂおよび第１屋根材１２４の水平部１２５ｂに引っ掛けて、カバー材１０６全体でシール部材１０５に被せる。この状態で、基部１６１の左側部分を第２屋根材１３４の水平部１３５ｂにシール部材１０５を介してブラインドリベットで固定する。最後に、水平部１３５ｂの内面でブラインドリベットとの間にコーキング材を入れる。この結果、カバー材１０６は、シール部材１０５を覆った状態になる。
【００９２】
以上説明したように本実施の形態の屋根１２１，１３１間の防水構造では、第１野地板１２２に、第２屋根材１３４の上端と同一の高さになるスペーサ１０４を設け、スペーサ１０４の上部（水平部１４２ｂ）と第２屋根材１３４の上部（１３５ｂ）とに上部間を塞ぐシール部材１０５を繋ぐようにした。
【００９３】
したがって、第１の実施の形態と同様にシール部材１０５に対して従来のように双方の屋根２１，３１の隣接する端部１２１ａ，１３１ａの高さを意識した折り曲げ加工を行う必要がないので、折り曲げ加工に高い精度を必要としない。よって、本実施の形態の屋根１２１，１３１間の防水構造は、シール部材１５５の加工に手間をかけずに施工を行うことができる。
【００９４】
また、スペーサ１０４を第１屋根材１２４の上部を覆うように形成したので、スペーサ１０４と第１屋根材１２４の間に雨水が浸入するのを防ぐことができる。よって、本実施の形態の屋根１２１，１３１間の防水構造は、防水機能を高めることができる。
【００９５】
また、シール部材１０５の上面にカバー材１０６を設けたので、屋根１２１，１３１間に雨水が浸入するのを確実に防ぐことができる。よって、本実施の形態の屋根１２１，１３１間の防水構造は、防水機能をより高めることができる。
【００９６】
また、カバー材１０６の第１屋根２１側部分（右折曲部１６３）をスペーサ１０４および第１屋根材１２４の上部（水平部１４２ｂ，１２５ｂ）に引っ掛けるように形成したので、カバー材１０６の取付作業を容易に行うことができる。
【００９７】
さらに、カバー材１０６の第２屋根１３１側部分（基部１６１の左側部分）を、ブラインドリベット７を用いて、第２屋根材１３４の上部（水平部１３５ｂ）にシール部材１０５を介して固定した。これによりカバー材１０６をシール部材１０５に密着させることが可能になり、屋根１２１，１３１間に雨水が浸入するのをより確実に防ぐことができる。よって、本実施の形態の屋根１２１，１３１間の防水構造は、防水機能をより高めることができる。
【００９８】
さらに本実施の形態では、双方の屋根材１２４，１３４の水下側の端部１２６，１３６をそれぞれ軒樋１１，１２の上方に位置するように形成した。さらに、双方の端部１２６，１３６に軒樋１１，１２へ雨水を送る切り欠き１２８，１３０を設けた。これにより、屋根材１２４，１３４を流れる雨水を軒樋１１，１２に効率良く送ることが可能になるので、雨水の排出を効率良く行うことができる。
【００９９】
以上、本発明にかかる実施の形態を例示したが、これらの実施の形態は本発明の内容を限定するものではない。また、本発明の請求項の範囲を逸脱しない範囲であれば、各種の変更等は可能である。
【０１００】
例えば、第２の実施の形態では、屋根材１２４，１３４の水下側の端部１２７，１３７に本発明の排水部として切り欠き１２８，１３０を設けたが、その他に穴や排水管を水下側の端部に設けても良い。
【０１０１】
また、第１の実施の形態と第２の実施の形態では、カバー材の双方の屋根側部分の一方を、スペーサおよび対応する屋根材の上部に引っ掛けるように形成したが、双方の屋根側部分をスペーサおよび双方の屋根材の上部に引っ掛けるように形成しても良い。また、スペーサの上部が屋根材の上部よりも水平方向に長い場合は、スペーサの上部に引っ掛けるように形成しても良い。
【０１０２】
また、第１の実施の形態と第２の実施の形態では、締結材を用いてカバー材の双方の屋根側部分の他方を対応する屋根材の上部にシール部材を介して固定したが、双方の屋根側部分を双方の屋根材にシール部材を介して固定しても良い。
【０１０３】
また、第１の実施の形態と第２の実施の形態では、スペーサを双方の屋根材間に配置したが、第１屋根材の内側に配置して第２屋根材の上端と同一の高さになるように形成しても良い。
【産業上の利用可能性】
【０１０４】
以上説明したように本発明の屋根間の防水構造では、シール部材の加工に手間をかけずに施工を行うことができる。したがって、本発明の屋根間の防水構造を、屋根間の防水構造の技術分野で十分に利用できる。
【符号の説明】
【０１０５】
４、１０４    スペーサ
５、１０５    シール部材
６、１０６    カバー材
１１、１２    軒樋
２１、１２１    第１屋根
２４、１２４    第１屋根材
２５ｂ，１２５ｂ    第１屋根材の水平部（上部）
３１、１３１    第２屋根
３４、１３４    第２屋根材
３５ｂ、１３５ｂ    第２屋根材の水平部（上部）
４２ｂ、１４２ｂ    スペーサの水平部（上部）
６３、１６３    右折曲部  
１２６    第１屋根材の水下側の端部
１２８    第１屋根材の切り欠き（排水部）
１３０    第２屋根材の切り欠き（排水部）
１３６    第２屋根材の水下側の端部
【図１】
2014118764.tif 000003
【図２】
2014118764.tif 000004
【図３】
2014118764.tif 000005
【図４】
2014118764.tif 000006
【図５】
2014118764.tif 000007
【図６】
2014118764.tif 000008
【図７】
2014118764.tif 000009
【図８】
2014118764.tif 000010
【図９】
2014118764.tif 000011